(57)【要約】【課題】自動写真館において、後日になってからの画像（写真）の選択や編集や追加印刷を可能とすると共に、自動写真館側に画像の保管・管理の負担をかけないようにする。【解決手段】自動写真館において、利用者が保管用の画像を選択するための保存用画像選択手段と、利用者が選択した画像を暗号化してリムーバブル記憶媒体に記録するデータ処理・読み書き制御手段とを有し、データ処理・読み書き制御手段は、暗号化した画像を記録したリムーバブル記憶媒体を持参した利用者が自動写真館を再利用する際には、リムーバブル記憶媒体に記録された暗号化された画像を読み出して復号し、復号した画像を、自動写真館での処理対象の画像とする。【選択図】図３
2008061095.tif 000002
【特許請求の範囲】
【請求項１】
被写体を自動的に撮影する撮影手段と、画像を編集するための画像編集手段と、画像を印刷する印刷手段とを備えた自動写真館において、
利用者が保管用の画像を選択するための保存用画像選択手段と、
利用者が選択した画像を暗号化してリムーバブル記憶媒体に記録するデータ処理・読み書き制御手段とを有し、
前記データ処理・読み書き制御手段は、暗号化した画像を記録した前記リムーバブル記憶媒体を持参した利用者が前記自動写真館を再利用する際には、前記リムーバブル記憶媒体に記録された暗号化された画像を読み出して復号し、復号した画像を、前記自動写真館での処理対象の画像とすることを特徴とする自動写真館。
【請求項２】
請求項１に記載の自動写真館において、
前記データ処理・読み書き制御手段は、前記リムーバブル記憶媒体に、暗号化して記録した画像と対応する暗号化していないサムネイル画像を併せて記録することを特徴とする自動写真館。
【請求項３】
請求項１に記載の自動写真館において、
前記データ処理・読み書き制御手段は、画像を暗号化する際に、暗号化に必要な暗号鍵Ａを画像のファイル名に基づいて生成することを特徴とする自動写真館。
【請求項４】
請求項３に記載の自動写真館において、
前記データ処理・読み書き制御手段は、前記暗号鍵Ａの生成に用いた画像のファイル名を、前記自動写真館で固有に設定された暗号鍵Ｂを用いて暗号化し、暗号化したファイル名を前記リムーバブル記憶媒体に記録することを特徴とする自動写真館。
【発明の詳細な説明】
【技術分野】
【０００１】
本発明は、子供を中心とする被写体の画像（被写体画像）を自動的に撮影する自動写真館に関するものである。
【背景技術】
【０００２】
最近の子供は６つの財布を持っていると言われる。近年一人っ子が増え、一人っ子同士が結婚して子供が生まれると、両親と祖父母の合計６人が、この一人の子供を金に糸目をつけずに可愛がるという現象を指す言葉である。
【０００３】
こうした社会状況を反映して、国内各地において子供の写真撮影を専業的に行う写真館が増加している。このような写真館においては、母親が小さな子供を連れて来店し、カメラマンに子供の写真を撮影してもらい、撮影した写真はその場で出来上がりを確認することができる。そして、「いい写真」（子供の可愛らしさが見て取れる写真、子供の生き生きした姿が写っている写真など）が撮れていると、祖父母にも送りたいため、同じ写真を何枚も焼き増し注文することになる。このため、写真館ではプリンセス風のドレスなどの着替えも用意して、普段とは違うイメージの写真が撮れるようにもしている。
【０００４】
こうした写真館では、利用者が満足する写真を撮影するために、プロのカメラマンが撮影を行っている。しかし、プロのカメラマンを雇うことによって写真館の運営費用は増大し、その結果、利用者の支払う対価も増大する。
【０００５】
また、プロのカメラマンにとっても小さな子供（概ね６歳以下程度の子供）の「いい写真」を撮影するのは容易ではない。というのは、小さな子供は、カメラマンが視線の向きやポーズを指示しても、指示の意味を理解することができないことがあるし、たとえ意味を理解しても従わず、自分の興味がある方向を向いたり、逆に表情が硬くなったり、静止を求められても走り回っていたりすることが常だからである。
【０００６】
むしろ、母親以外の見知らぬカメラマンが存在することにより、小さな子供がリラックスすることができず、なかなか「いい写真」を撮影することができないというのが現実である。
【０００７】
最近では、前述した運用費用の低減を図るため、および、カメラマン等の他人を排除してリラックスした雰囲気で撮影を行うようにするため、自動写真館システムが提案されている。
【０００８】
自動写真館システムとは、自動撮影スタジオ、写真編集用の設備および印刷装置を備えた写真館であり、利用者は自動撮影スタジオにおいて他人の目を気にすることなく、自分の子供の写真を撮影し、写真編集用の設備を使用して、撮影した写真に装飾用のフレームを付けたり、撮影日付を記入するなどの編集を行うことができる。そして、気に入った写真だけを、その場でさまざまな大きさに印刷し、自宅に持ち帰ることができる。
【０００９】
このような子供連れのための自動写真館システムについては、本願出願人らにより、特願２００５−１９２１８３が既に提案されている。
【発明の開示】
【発明が解決しようとする課題】
【００１０】
ところで、上述したような自動写真館システムにおいては、長時間滞在するうちに子供がぐずり始めたり眠くなったりと、子供の相手をする必要が出てきて、満足のいくまで写真選択や写真編集を行うことができない場合がある。そこで、撮影した自分の子供の写真を一旦自宅に持ち帰り、子供の機嫌が良いときに再度このような自動写真館に来館して、再び写真の選択や編集の続きをしたいという欲求も出てくる。
【００１１】
また、自宅で予め写真を見て、編集や印刷したい写真の目星を付けておきたいという欲求も出てくる。
【００１２】
また、祖父母や親戚等に写真をプレゼントするために、追加印刷したいという欲求も出てくる。
【００１３】
ここで、上記のような要求を満たすためには、利用者が撮影した画像（写真）を保管しておき、後日になってからの写真編集や追加印刷が可能な環境を実現する必要があるが、自動写真館側で画像を保管するためには、画像を保管するための膨大な容量のデータベースが必要となる。しかも、それらのデータベースはデータの消失対策が必要であり、さらに長期間の保管も求められることが予想されることから、総じて画像の保管・管理に莫大なコストがかかり、したがって、このコストが利用者にはねかえることになり、自動写真館側での画像の保管という手法は現実的ではない。
【００１４】
本発明は上記の点に鑑みなされたもので、その目的とするところは、後日になってからの画像（写真）の選択や編集や追加印刷を可能とするとともに、自動写真館側に画像の保管・管理の負担をかけないようにすることにある。
【課題を解決するための手段】
【００１５】
本発明は上記した目的を達成するために、被写体を自動的に撮影する撮影手段と、画像を編集するための画像編集手段と、画像を印刷する印刷手段とを備えた自動写真館において、
利用者が保管用の画像を選択するための保存用画像選択手段と、利用者が選択した画像を暗号化してリムーバブル記憶媒体に記録するデータ処理・読み書き制御手段とを有し、
データ処理・読み書き制御手段は、暗号化した画像を記録したリムーバブル記憶媒体を持参した利用者が自動写真館を再利用する際には、リムーバブル記憶媒体に記録された暗号化された画像を読み出して復号し、復号した画像を、自動写真館での処理対象の画像とする。  
また、データ処理・読み書き制御手段は、リムーバブル記憶媒体に、暗号化して記録した画像と対応する暗号化していないサムネイル画像を併せて記録する。  
また、データ処理・読み書き制御手段は、画像を暗号化する際に、暗号化に必要な暗号鍵Ａを画像のファイル名に基づいて生成し、暗号鍵Ａの生成に用いた画像のファイル名を、自動写真館で固有に設定された暗号鍵Ｂを用いて暗号化し、暗号化したファイル名をリムーバブル記憶媒体に記録する。
【発明の効果】
【００１６】
本発明によれば、自動写真館において、後日になってからの画像（写真）の選択や編集や追加印刷を可能とできるユーザフレンドリィな仕組みを、自動写真館に画像長期保管用のデータベースを構築することなく実現でき、したがって、膨大な容量のデータベースを構築するための機器費用、運用費用が発生することがなく、よって、利用者に対して費用負担の増加を強いることも回避できる。また、リムーバブル記憶媒体には画像を暗号化して記録してあるので、このリムーバブル記憶媒体を持ち帰った利用者が、当該自動写真館以外で課金なしに画像を利用することを禁止でき、自動写真館の運営側に不利益となることもない。また、リムーバブル記憶媒体には、暗号化して記録した画像と対応する暗号化していないサムネイル画像を併せて記録してあるので、リムーバブル記憶媒体を自宅などに持ち帰った利用者は、時間の余裕のある時などにサムネイル画像を見ることで、編集や印刷したい写真の目星を予め付けておくことができる。また、画像の暗号化に必要な暗号鍵Ａを画像のファイル名に基づいて生成するようにしているので、画像ファイル毎に異なる暗号鍵Ａを生成でき、さらに、暗号鍵Ａを生成して画像を暗号化し、暗号鍵Ａを用いて暗号化画像を復号するという簡単な仕組みを用意するだけで、画像の暗号化／復号を実現でき、したがってソフトウェア開発の負担をごく少なくできる。さらにまた、暗号鍵Ａの生成に用いた画像のファイル名を、自動写真館で固有に設定された暗号鍵Ｂを用いて暗号化し、暗号化したファイル名をリムーバブル記憶媒体に記録するようにしているので、画像のファイル名からの暗号鍵Ａの生成が、自動写真館以外では困難なものとなる。
【発明を実施するための最良の形態】
【００１７】
以下、本発明の実施の形態を、図面を用いて説明する。
【００１８】
図１は、本発明の一実施形態（以下、本実施例と記す）に係る自動写真館の店内（館内）構造を示す配置図である。
【００１９】
自動写真館０１０１には、カウンタ０１０２、サテライト０１０６、スタジオ０１０７の各設備が配置されている。
【００２０】
各設備の詳細な構成・機能等については後述するが、カウンタ０１０２は、利用者が店内で使用するＩＣカードの発行を行い、また会計を行うための設備である。スタジオ０１０７は、カメラ、照明、背景等を備えた自動写真撮影スタジオである。撮影対象とする子供の年代等によって、必要とする機材・機能が多少異なるため、ノーマルスタジオ、アクションスタジオ、ベビースタジオの３種に区別している。サテライト０１０６は、利用者が撮影前の時間を過ごしたり、撮影済みの画像を編集するための設備であり、コンピュータを設置したテーブルと、１つ以上の椅子からなる。
【００２１】
自動写真館０１０１の店内には、複数の利用者が同時に撮影や画像の編集を行うことを可能とするために、複数のスタジオ０１０７、および複数のサテライト０１０６を設置している。
【００２２】
なお、図１には示されていないが、カウンタ０１０２の近傍には、コンピュータシステムとそれに接続された各種構成要素からなるカウンタシステム０１０４、プリンタシステム０１０５、サーバシステム０１０３が設置されている。同様に、各サテライト０１０６にはサテライトシステム０１１０が、各スタジオ０１０７にはスタジオシステム０１１１が設置されている。
【００２３】
また、店内には以上の設備のほか、撮影時に使用する貸衣装を収納した衣装棚、衣装を着替えるための部屋、撮影に使用するぬいぐるみ等の小物を収納する棚、トイレ、下駄箱、退屈した子供を遊ばせるためのプレイエリア、機材等を保管するためのバックヤード等、自動写真館の運営に必要なさまざまな設備が存在する。
【００２４】
図２は、本実施例に係る自動写真館のシステム構成全体の概略図である。図２中の各システム内部の詳細な構成については後述するが、サーバシステム０１０３は、主として自動写真館システム全体で使用する各種のファイルを記録しており、他のシステムからの要求に従ってデータを提供する、いわゆるファイルサーバとして機能する。カウンタシステム０１０４は、ＩＣカードの発行、印刷状況の確認、会計等の、自動写真館の運営に必要な業務を行う。一方、サテライトシステム０１１０、スタジオシステム０１１１は、主として利用者のためのシステムであり、それぞれ、画像（写真）の編集、画像の撮影に使用される。プリンタシステム０１０５は、プリンタによる画像の印刷を制御するためのシステムである。
【００２５】
各システムは、ＰＣ等のコンピュータと、ＩＣカードＲ／Ｗ（リーダー／ライター）、タッチパネル式モニタなどの周辺機器を接続したものであり、通信回線０１１４によって、相互に通信可能に接続されている。従って、例えば、サーバシステム０１０３がサテライトシステム０１１０の稼動状況情報を受け取って、自動写真館システムの稼動状況を管理するためのファイルに記録しておき、これをカウンタシステム０１０４からの要求に従って送付し、カウンタシステム０１０４のタッチパネル式モニタに表示するといったことが可能である。
【００２６】
プリンタシステム０１０５、サテライトシステム０１１０、スタジオシステム０１１１は、利用者や画像印刷枚数の多寡に応じて同種のシステムを複数設置すればよい。なお、以降の説明では、サーバシステム０１０３、カウンタシステム０１０４、プリンタシステム０１０５、サテライトシステム０１１０、スタジオシステム０１１１の総称として単に「システム」と記載する。また、複数のシステムが全て同じ用途のシステム、例えばプリンタシステム０１０５である場合に、「同一種類のシステム」というように記載する。
【００２７】
図３は、本実施例に係る自動写真館（以下、「店」と略記する）における、利用者による自動写真館利用の流れを示すフローチャートである。
【００２８】
利用者は入店すると（Ｓ０３０１）、まずカウンタ０１０２で受付を行い（Ｓ０３０２）、ＩＣカードを受取る。利用者としては親子連れ（特に母親とその子供からなる利用者グループ）が中心になると想定され、１利用者グループに対して１枚のＩＣカードが渡される。ＩＣカードには、利用者または利用者グループ（以下、利用者グループの場合であっても、複数人であることを特に明示する必要のない場合には単に「利用者」と記載する）を識別するための固有のコードが記録されている。
【００２９】
次に、利用者は、空いているサテライト０１０６に移動して腰を下ろし、撮影に使用したいスタジオ０１０７が空くのを待つ（Ｓ０３０３）。このとき、初めての来店で店の利用方法が良く分からないような場合には、サテライトシステム０１１０を使用して利用方法の説明を見ることもできる。
【００３０】
目当てのスタジオ０１０７を使用していた利用者が退出すると、スタジオ０１０７の入口付近に設置された、スタジオが使用中であることを示すランプが消灯する。利用者は、消灯によってスタジオ０１０７が使用可能になったことを確認し、スタジオ０１０７に移動し、スタジオシステム０１１１を使用して撮影を行う（Ｓ０３０４）。
【００３１】
撮影終了後、引き続き別のスタジオ０１０７で撮影したい場合には、そのスタジオ０１０７が使用可能であることを確認後に移動して、再び撮影を行い、目当てのスタジオが使用中の場合には、サテライト０１０６に引き返す（Ｓ０３０５でＹＥＳの場合）。また、一旦撮影済み写真を表示して確認したい場合にも、サテライト０１０６に引き返す（Ｓ０３０５でＮＯの場合）。このとき、必ずしも来店後に腰を下ろしたサテライト０１０６に戻る必要はなく、この時点で空いているサテライト０１０６に向かえばよい。
【００３２】
サテライト０１０６では、サテライトシステム０１１０を使用して、撮影した画像の確認、選択を行うことができる（Ｓ０３０６）。そして、気に入った画像を選択した場合であっても、さらに撮影したい場合（Ｓ０３０７でＹＥＳの場合）には、再びスタジオ０１０７で撮影を行うことができる。
【００３３】
追加撮影の必要がない場合（Ｓ０３０７でＮＯの場合）には、利用者はサテライトシステム０１１０を使用して選択済み画像の編集を行い、次に、最終的に印刷したい写真を選択して印刷指示する（Ｓ０３０８）。
【００３４】
本実施形態では、利用者は、記録可能な光ディスク、半導体メモリなどのリムーバブル記録媒体に、撮影した画像のなかから所望の画像を記録して（保管して）持ち帰ることが可能となっており、画像の編集、印刷指示の後に、画像の保管が必要であるかどうかを指示する（Ｓ０３０９）。なお、画像の保管が必要であるかどうかの指示は、編集対象とする画像の選択が終了したことを指示する前、あるいは、画像の編集が終了したことを指示する前、あるいは、印刷を指示する前であっても、利用者の適宜の操作で行えるようになっている。
【００３５】
画像の保管（持ち帰り）が必要でない場合（Ｓ０３０９でＮＯの場合）には、カウンタ０１０２に立ち寄って、ＩＣカードを返却し、会計を済ませ、出力した写真を受取り（Ｓ０３１０）、退店する（Ｓ０３１４）。
【００３６】
画像の保管（持ち帰り）が必要である場合（Ｓ０３０９でＹＥＳの場合）には、保管用の画像の選択を行って、保管用の画像のリムーバブル記録媒体への記録を指示（Ｓ０３１１）した後、カウンタ０１０２に立ち寄って、ＩＣカードを返却し、会計を済ませ、出力した写真を受取り（Ｓ０３１２）、さらに、保管用の画像を記録したリムーバブル記録媒体を受取り（Ｓ０３１３）、退店する（Ｓ０３１４）。なお、本実施例では、リムーバブル記録媒体は、自動写真館側で用意した媒体を、媒体の代金を利用者から徴収して、利用者に渡すようにしているが、利用者が持参したリムーバブル記録媒体を、来店・受付時にカウンタ０１０２で渡すようにすることも可能である。
【００３７】
以降は、まず、図１、図２に示した各設備および各システムの詳細な構成等を説明し、続いて、図３のフローチャート中の各処理（受付、撮影、編集等）について各システムの動作を説明する。
【００３８】
図４は、カウンタ０１０２の一部を斜め上方から見た図である。また、図５、図６、図７は、それぞれ、サーバシステム０１０３、カウンタシステム０１０４、プリンタシステム０１０５のブロック図である。
【００３９】
図４に示すように、カウンタのテーブル内部には、カウンタシステム０１０４のＰＣ本体０６００、およびプリンタシステム０１０５のＰＣ本体０７００が納められている。カウンタテーブルの上には、従業員が受付などの処理を行うためのタッチ式モニタ０６０３、追加プリントなどの処理を行うためのタッチ式モニタ０７０３、写真を印刷・出力するプリンタ０７１０ａが置かれている。また、図４には示していないが、カウンタシステム０１０４のＩＣカードＲ／Ｗ０６０６ａ、０６０６ｂ、プリンタシステム０１０５のＩＣカードＲ／Ｗ０７０６も、カウンタテーブルの上部に置かれている。
【００４０】
カウンタ０１０２の内側には、サーバシステム０１０３のＰＣ本体０５００、モニタ０５０３、および、図４には示していないが、キーボード０５０４、ＩＣカードＲ／Ｗ０５０６が設置されている。
【００４１】
なお、各システムのＰＣ本体とその周辺機器、および各システムのＰＣ本体同士は、有線または無線方式により互いに通信可能であれば良いのであって、設置場所は上述の場所に限るものではない。店内の美観等も考慮した上で、通常の運営に便利な位置に設置すればよい。
【００４２】
図５に示すように、サーバシステム０１０３は、ＰＣ本体０５００、モニタ（サーバ用モニタ）０５０３、キーボード０５０４、ＩＣカードＲ／Ｗ０５０６を含んで構成されている。
【００４３】
従業員は、キーボード０５０４を使用して操作を行い、ＩＣカードＲ／Ｗ０５０６を使用して新たに採用した従業員用のＩＣカード（以下「オペレータカード」と記述する）を作成したり、システム設定を初期作成あるいは変更したり、モニタ０５０３上に各システムの稼動状況を表示したりすることができる。
【００４４】
ＰＣ本体０５００は、ＣＰＵ０５０１、メモリ０５０２、画像出力部０５０５、通信インタフェース０５０７、磁気ディスク０５０８を有している。磁気ディスク０５０８には、店の運営等に必要な情報が記録される。
【００４５】
各情報は、通信インタフェース０５０７および通信回線０１１４を経由して、カウンタシステム０１０４等、他システムとの間で送受信される。
【００４６】
図６は、カウンタシステム０１０４のブロック図である。カウンタシステム０１０４は、ＰＣ本体０６００、タッチ式モニタ（タッチ式のカウンタ用モニタ）０６０３、ＩＣカードＲ／Ｗ０６０６ａ、０６０６ｂ、リムーバブルメディアＲ／Ｗ（リムーバブル記録媒体Ｒ／Ｗ）０６０９を含んで構成されている。ＰＣ本体０６００は、ＣＰＵ０６０１、メモリ０６０２、画像出力部０６０５、通信インタフェース０６０７、磁気ディスク０６０８を有している。
【００４７】
従業員（オペレータ）は、ＩＣカードＲ／Ｗ０８０６ａにオペレータカードを挿入することでカウンタシステム０１０４の操作が許容され、指をモニタ０６０３にタッチさせることで実際の操作を行う。例えば、来店した利用者の情報を入力して、ＩＣカードＲ／Ｗ０８０６ｂに挿入されたＩＣカードをプレイヤーカードとして作成したり、モニタ０６０３に各システムの利用状況を表示したりすることができる。
【００４８】
カウンタシステム０１０４で入力された利用者情報等は、通信インタフェース０６０７および通信回線０１１４を経由して、サーバシステム０１０３等、他システムとの間で送受信される。
【００４９】
図７は、プリンタシステム０１０５のブロック図である。プリンタシステム０１０５は、ＰＣ本体０７００、タッチ式モニタ（タッチ式のプリンタ用モニタ）０７０３、ＩＣカードＲ／Ｗ０７０６および１台以上のプリンタ０７１０ａ、０７１０ｂ、０７１０ｃを含んで構成されている（以降、プリンタ０７１０ａ、０７１０ｂ、０７１０ｃを総称して、プリンタ０７１０と記載する）。プリンタ０７１０が複数台接続されている理由は、複数のプリンタ０７１０を使用して並列的に印刷を行うことで、印刷待ち時間を短縮する目的のほか、市場において一般に流通しているプリンタはＡ３サイズ程度の大きさまでしか印刷できず、例えばＡ１版の印刷を行うためには専用の特殊なプリンタが必要であるという事情による。また、ＰＣ本体０７００は、ＣＰＵ０７０１、メモリ０７０２、画像出力部０７０５、通信インタフェース０７０７、磁気ディスク０７０８、プリンタ制御部０７０９を有している。
【００５０】
従業員（オペレータ）は、ＩＣカードＲ／Ｗ０７０６にオペレータカードを挿入することでプリンタシステム０１０５の操作が許容され、指をモニタ０７０３にタッチさせることで実際の操作を行う。例えば、印刷時に不具合が発生した場合の再印刷（やり直し印刷）などの操作を行うことができる。なお、本実施例においてはプリンタシステム０１０５で操作可能なオペレーション（例えば再印刷）は、カウンタシステム０１０４を使用して同じ操作が可能である。従って、プリンタシステム０１０５を使用するのは、カウンタシステム０１０４が会計処理等の最中である場合や、プリンタシステム０１０５自身のシステム環境を設定・更新する場合などに限られる。
【００５１】
プリンタシステム０１０５の処理状況等は、通信インタフェース０７０７および通信回線０１１４を経由して、サーバシステム０１０３等、他システムとの間で送受信される。
【００５２】
図８は、サテライト０１０６を斜め上方から見た図である。また、図９は、サテライトシステム０１１０のブロック図である。
【００５３】
サテライト０１０６は、利用者がスタジオ０１０７の空きを待ったり、撮影済みの画像を編集したりするための設備である。本実施例においては、図８に示すように、円形のテーブルを仕切り板１６０４によって略４等分に仕切り、仕切られたそれぞれの場所に、１つまたは複数の椅子とサテライトシステム０１１０を備えている。
【００５４】
本実施例では、テーブル１６０１の支柱１６０３の内部に、サテライトシステム０１１０のＰＣ本体１７００が納められており、テーブル１６０１の上面１６０２には、タッチ式モニタ１７０３、タッチペン１７０４、ＩＣカードＲ／Ｗ１７０６が取り付けられている。ＰＣ本体１７００と、タッチ式モニタ１７０３、タッチペン１７０４、ＩＣカードＲ／Ｗ１７０６とは、有線または無線により通信可能に接続されている。
【００５５】
図９に示すように、サテライトシステム０１１０は、ＰＣ本体１７００、タッチ式モニタ（サテライト用モニタ）１７０３、タッチペン１７０４、ＩＣカードＲ／Ｗ１７０６を含んで構成されている。ＰＣ本体１７００は、ＣＰＵ１７０１、メモリ１７０２、画像出力部１７０５、通信インタフェース１７０７、磁気ディスク１７０８を有している。
【００５６】
利用者は、タッチペン１７０４を使用して操作を行い、タッチ式モニタ１７０３にスタジオ０１０７での撮影方法等を表示したり、撮影した画像の編集や印刷指示などの操作を行ったりすることができる。なお、タッチペン１７０４を使わず、指を使って操作するようにすることもできる。このようにした場合には、タッチペンが不要になるので、システム構築に必要な費用を減少させることができ、また、タッチペンの故障や紛失も発生しないため、店としては大きなメリットがある。しかし、他人の手が触れたモニタ画面に触ることを嫌がる利用者もいるので、この点に注意が必要である。
【００５７】
メモリ１７０２には、画像編集に使用する線描パターンや太さ、画像合成用に予め用意された各種のスタンプ画像、印刷レイアウトの見本、各種の案内メッセージ（音声及び文情報）などが記憶されている。これらの情報は、サーバシステム０１０３の磁気ディスク０５０８内に記録しておき、サテライトシステム０１１０を起動するときや、磁気ディスク０５０８の記録内容を更新するときなどに、必要に応じてサテライトシステム０１１０に転送することができる。
【００５８】
サテライトシステム０１１０の使用状況等は、通信インタフェース１７０７および通信回線０１１４を経由して、サーバシステム０１０３等、他システムとの間で送受信される。
【００５９】
次に、スタジオ０１０７の構成と機能について説明する。前述したように、スタジオ０１０７は、その用途により、ノーマルスタジオ、アクションスタジオ、ベビースタジオの３種に区別されており、設置されている機材の種類等も少しずつ異なっている。
【００６０】
ここで、ノーマルスタジオは、親の指示により立ち位置を変えたり、ポーズを取ったりすることができる、ある程度の年齢以上の子供を対象とした撮影スタジオである。アクションスタジオは、ノーマルスタジオと同程度または多少年長の子供を対象としており、ジャンプ台から飛び降りる等の動きのあるポーズを撮影するためのスタジオである。一方、ベビースタジオは、乳児の撮影を主体とするスタジオであり、子供を寝かせた状態で撮影するための設備が備えられている。
【００６１】
以上のように、各スタジオの用途は若干異なるが、いずれも子供を撮影するためのスタジオという点では用途を同じくしており、撮影用カメラ、照明設備等の撮影スタジオとしての基本的な設備においては異なるところがない。  
以下、各スタジオの構成と機能について説明する。
【００６２】
図１０は、ノーマルスタジオ０１０７を斜め上方から見た図である。スタジオ０１０７は、外からの覗かれることがないように、壁１８０５ａ、１８０５ｂ、１８０５ｃによって３方を囲まれており、スタジオへの出入りは出入口１８０６によって行う。出入口１８０６近辺の、壁１８０５ｃには、使用中ランプ２２２７が設置されており、撮影中はランプが点灯し、撮影が終了するとランプが消灯するようになっている。従って、利用者はスタジオが空いているかどうかを、使用中ランプ２２２７の点滅によって外部から知ることができる。
【００６３】
なお、図１０においては、壁１８０５ｃを透かしたスタジオ内部の様子を描いているが、これは壁１８０５ｃが透明壁であることを示しているのではなく、描画上の必要によるものである。壁１８０５ｃは透明ガラス等であっても良いが、通常は不透明な壁材とすべきであろう。
【００６４】
ノーマルスタジオ０１０７の内部には、一方の端部付近に、撮影用カメラ２２２１等を収納したカメラボックス１８０２と、被写体である利用者を照射する照明装置２２２２（正面ストロボ１８０１ａ、右ストロボ１８０１ｂ、左ストロボ１８０１ｃ、図１８では示していない常時点灯する面光源２２２２ａ）が設置され、反対側の端部付近には、ホリゾントカーテン１８０４、背景機構２２２３が設置されている。カメラボックス１８０２とホリゾントカーテン１８０４の間の空間が撮影用空間となり、被写体である利用者（通常は子供）が撮影用空間内に入り、母親の指示に従うなどによってポーズをとり、撮影される。なお、ノーマルスタジオ０１０７を含め各スタジオには、照明装置２２２２として、天井に設置される天井ストロボを備える構成であってもよい（図１０では符号２２２２を図示していない。図１６を参照）。
【００６５】
撮影用空間の手前には操作卓１８０３が置かれており、操作卓１８０３には、利用者（通常は母親）が、後述する撮影モードを決めたり、被写体のポーズを確認したりするためのタッチパネル式操作用モニタ２２０３が取り付けられている。
【００６６】
また、操作卓１８０３には、ＩＣカードＲ／Ｗ２２０６も取り付けられている。利用者がプレイヤーカードをＩＣカードＲ／Ｗ２２０６に挿入することにより、ノーマルスタジオ０１０７のスタジオシステム０１１１が使用可能になり、使用中ランプ２２２７が点灯する。
【００６７】
カメラボックス１８０２には、被写体を撮影するための３台の撮影用カメラ２２２１、２１０１ａ、２１０１ｂが収納されている。ノーマルスタジオ０１０７における撮影は、常に上下２台のカメラ（２２２１と２１０１ａ、または２１０１ａと２１０１ｂ）で同時に行われる。子供の場合、いくら母親が指示しても、撮影に最適な場所に移動し、最適なポーズをとってくれるとは限らない。このため、上下２台のカメラを使用して少しだけアングルを変えて撮影することで、どちらかのカメラによってうまく撮影されている可能性を高めるためである。
【００６８】
カメラボックス１８０２には、この他、被写体の映像をリアルタイムに撮影するための３台のモニタ用カメラ２２２０ａ、２２２０ｂ、２２２０ｃが収納されている。各モニタ用カメラは、３台の撮影用カメラのそれぞれ近傍に設置され、撮影用カメラ２２２１、２１０１ａ、２１０１ｂによって撮影されるはずの画像とそれぞれほぼ同一の画像を写している。本実施例においては、撮影用カメラ２２２１とモニタ用カメラ２２２０ａ、撮影用カメラ２１０１ａとモニタ用カメラ２２２０ｂ、撮影用カメラ２１０１ｂとモニタ用カメラ２２２０ｃとが、それぞれほぼ同一の画像を撮影するように設置されている（ただし、モニタ用カメラのほうがやや広角である）。
【００６９】
モニタ用カメラ２２２０ａ、２２２０ｂ、２２２０ｃが映し出した映像（動画像）は、操作用モニタ２２０３に３つのウィンドウで表示され、母親はこれを確認することで、子供が撮影画角内に納まっているかどうか確認し、また、子供に前後左右に移動したりポーズを取ったりするようにするように指示することができる。
【００７０】
また、モニタ用カメラ２２２０ａ、２２２０ｂ、２２２０ｃが映し出した映像は、カメラボックス１８０２に収納された２台の確認用モニタ２２０５ａ、２２０５ｂのいずれか一方にも表示される。目的は、被写体である子供に見せて、その興味を引くためである。
【００７１】
撮影の背景としては、背景機構２２２３に設定された複数のロールカーテンのうちから気に入ったものを選択して使用することもできるし、ロールカーテンを全て巻き上げた状態で、クロマキー合成しやすい色に着色されたホリゾントカーテン１８０４を使用することもできる。
【００７２】
図１１は、ノーマルスタジオの撮影空間を真上から見た図である。スタジオの床部分には、複数の感圧式センサ２２４３が設置され、被写体である子供が躓かないようにするために、その上に柔らかなカバーが敷かれている。
【００７３】
感圧式センサ２２４３は、カメラボックス１８０２から遠ざかるにつれ数が増加する扇状に設置されている。カメラボックス１８０２から遠ざかるにつれて撮影画角が広くなるためである。
【００７４】
各感圧式センサ２２４３は、スタジオシステム０１１１のスタジオメインＰＣ２２００（図１６）の感圧式センサ入力処理部２２４２（図１６）に接続されており、被写体の体重による圧力を検知して、当該感圧式センサ２２４３の位置情報とともに、スタジオメインＰＣ２２００に通知する。その結果、スタジオメインＰＣ２２００は、被写体が撮影空間内のどの場所にいるかを知ることができる。
【００７５】
感圧式センサ２２４３の位置情報としては、例えば各感圧式センサに位置の識別番号を付与し、この識別番号、カメラボックス１８０２と感圧式センサ間の距離情報、カメラボックス１８０２の正面方向を基準とした感圧式センサの設置場所の角度情報を対にして、スタジオメインＰＣ２２００の磁気ディスク２２０８（図１６）に記録しておけばよい。
【００７６】
また、感圧式センサ２２４３が位置情報を通知するような機能を持たない場合には、各感圧式センサ２４３に対してスタジオシステム０１１１の信号受信部をそれぞれ別に割り付けることで、同じ効果を得ることが可能である。
【００７７】
図１２は、アクションスタジオ０１０７を斜め上方から見た図である。ノーマルスタジオとの主要な相違は、カメラボックス１８０２に、撮影用カメラ２１０１ａ、２１０１ｂが２台しか収納されておらず、もう１台の撮影用カメラ２２２１は天井付近に設置されていることである。
【００７８】
アクションスタジオ０１０７においては、子供がジャンプ台１９０１から飛び降りる瞬間や、見上げたポーズなどを撮影するため、天井付近にカメラを備えているのである。従って、撮影用カメラ２２２１に対応するモニタ用カメラ２２２０ａ、確認用モニタ２２０５ａも天井付近に設置されている。
【００７９】
ジャンプ台１９０１の上部には、感圧式センサ２２４３ａが設置されており、柔らかなカバー等によって覆われている。感圧式センサ２２４３ａは、被写体である子供が上に乗ったとき、およびジャンプした時にその圧力を検知し、圧力値をスタジオシステム０１１１のスタジオメインＰＣ２２００に通知する。スタジオメインＰＣ２２００は、通知された圧力値を予め設定した閾値と比較することにより、子供が立っただけの状態なのか、ジャンプしたのかを判定することができる。
【００８０】
図１３は、ベビースタジオ０１０７を斜視して見た図である。アクションスタジオとの主要な相違は、ジャンプ台１９０１がなく、撮影用ベッド２００１が設置されていることである。
【００８１】
すなわち、ベビースタジオ０１０７においては、乳児を撮影用ベッド２００１に寝かせた状態を中心に撮影を行う。このため、操作卓１８０３も、母親が乳児の安全を確保できるように、撮影用ベッド２００１にそばに置かれている。
【００８２】
また、ベビースタジオ０１０７には、撮影用カメラが２台しか設置されていない。想定被写体である乳児は動きが乏しいため、見上げたポーズを撮影するカメラ２２２１と横向きのポーズを撮影するカメラ２１０１ａの２台で撮影可能だからである。
【００８３】
図１４は、各スタジオに設置される撮影用カメラ２２２１の近傍の拡大表示図である。なお、他の撮影用カメラ２１０１ａおよび２１０１ｂの近傍についても、同じ構造である。
【００８４】
撮影用カメラ２２２１の左右には、微小なＬＥＤランプ２２４１が複数個直線状に設置されており、全体として視線指示ランプ２２４０ａを形成している。撮影用カメラ２２２１が撮影を行う場合、撮影に先立って、撮影用カメラ２２２１の左右において最も離れた位置に設置されたＬＥＤランプ２２４１が発光し、一定時間（例えば０．１秒）後、隣接した、撮影用カメラ２２２１により近いＬＥＤランプ２２４１が発光するとともに先ほど発光していたＬＥＤランプ２２４１は消灯する。この動作が次々に行われる結果、人間の目には、左右のＬＥＤランプ２２４１の光が徐々に撮影用カメラ２２２１に近づくように見える。そして、撮影用カメラ２２２１に最も近い左右のＬＥＤランプ２２４１が発光した一定時間後（例えば０．１秒後）に、撮影が行われる。
【００８５】
このようにすることで、被写体の視線が自然に撮影用カメラ２２２１に集まるので、カメラ目線の写真を撮影することができる。
【００８６】
以上説明したように本実施例においては、ノーマルスタジオ、アクションスタジオ、ベビースタジオの３種のスタジオが存在するが、大きな相違は、機器等の設置場所や撮影補助設備の設置状況であり、コンピュータシステムの構成としてはほぼ同一である。
【００８７】
以下、ノーマルスタジオを例にとって、スタジオシステム０１１１の構成と機能について説明する。
【００８８】
図１５は、スタジオシステム０１１１の簡略化したブロック構成図である。スタジオシステム０１１１のコンピュータシステムは、スタジオメインＰＣ２２００と２台のスタジオサブＰＣ２１００ａ、２１００ｂからなる、１つのＬＡＮセグメントによって構成される。
【００８９】
スタジオメインＰＣ２２００には、３台のモニタ用カメラ２２２０ａ、２２２０ｂ、２２２０ｃと、撮影用カメラ２２２１と、操作用モニタ２２０３と、２台の確認用モニタ２２０５ａ、２２０５ｂとが接続されている。
【００９０】
また、スタジオサブＰＣ２１００ａ、２１００ｂには、それぞれ１台の撮影用カメラ２１０１ａ、２１０１ｂが接続されている。
【００９１】
スタジオメインＰＣ２２００は、撮影タイミングを検出すると、撮影用カメラ２２２１を使用して撮影を行うとともに、必要に応じてスタジオサブＰＣ２１００ａ、２１００ｂのいずれか、あるいは両方に通信回線を経由して、撮影時刻等を指定したコマンドを送出する。スタジオサブＰＣ２１００ａ、２１００ｂは、スタジオメインＰＣ２２００からコマンドを受信すると、撮影用カメラ２１０１ａ、２１０１ｂを使用して撮影を行う。
【００９２】
撮影した画像は、撮影を行ったスタジオメインＰＣ２２００または各スタジオサブＰＣ２１００ａ、２１００ｂの磁気ディスク等に一時的に記録され、サーバシステム０１０３に転送される。
【００９３】
以上のように、スタジオシステム０１１１の主要な機能はスタジオメインＰＣ２２００が制御しており、スタジオサブＰＣ２１００ａ、２１００ｂは、いわばリモートカメラ制御装置として機能するに過ぎない。このような構成をとる理由は、下記のとおりである。
【００９４】
すなわち、本実施例においては一度に撮影する枚数が１００枚程度であり、またＡ１サイズ等の印刷に耐えるために高精細な画像で記録する必要があり、撮影画像の記録サイズが大きくなる。また、撮影した画像にはクロマキー合成を行うことが多いため、撮影後いずれかの時点で、被写体部分の画像（本願でいう被写体部分の画像とは、被写体のみを背景から分離・抽出した画像を指す）と、背景画像とを分離する処理が必要になる。この処理は、画像サイズが大きいためにＰＣに高度な性能を要求し、もしサテライトシステム０１１０で行うなら、各サテライトシステム０１１０の性能を、その他にサテライトシステム０１１０で行われる処理に比べて不釣合いに高くしなければならない。一方、サーバシステム０１０３で行うとすると、サーバシステム０１０３に負荷が集中することになる。そのため、スタジオシステム０１１１のＰＣ２２００、２１００ａ、２１００ｂがそれぞれ行うことが望ましく、負荷を分散させるために、３台の撮影用カメラをそれぞれ別のＰＣで制御し、撮影した画像は各ＰＣで処理することにしたものである。
【００９５】
従って、ＰＣの性能やコストパフォーマンス等の問題が解決できるなら、本実施例のように３台のＰＣによるシステムとする必要はなく、１台のスタジオメインＰＣ２２００が全ての撮影機材を制御するようにしても良い。
【００９６】
次に、スタジオシステム０１１１の主要な構成要素であるスタジオメインＰＣ２２００およびそれに接続される各構成要素の構成（図１５の撮影用カメラ２１０１ａ、２１０１ｂおよびスタジオサブＰＣ２１００ａ、２１００ｂを除いたスタジオシステム０１１１の構成）を説明する。
【００９７】
図１６は、スタジオメインＰＣ２２００およびそれに接続される各構成要素の構成を示すブロック図である。スタジオシステム０１１１のスタジオメインＰＣ２２００には、前述したような各構成要素等が接続されている。スタジオメインＰＣ２２００は、メモリ２２０２に格納されたプログラムによってスタジオメインＰＣ２２００全体を制御するＣＰＵ２２０１と、撮影用カメラ２２２１に撮影指示を与え、また撮影された画像を入力する撮影用カメラ制御部２２３２と、確認用モニタ２２０５ａ、２２０５ｂに被写体の動画像等を表示させるための確認用モニタ画像出力部２２３５ａ、２２３５ｂと、スピーカ２２２４に各種の案内メッセージの音声信号を出力する音声出力部２２３７と、各種の案内メッセージ（音声及び文字情報）などが記憶されているパターンメモリ２２３８と、各種操作時間等を計測するためのタイマ２２２５と、背景機構２２２３を制御する背景機構制御部２２３６と、使用中ランプ２２２７を制御する使用中ランプ制御部２２２４等を含んでいる。
【００９８】
また、３台の撮影用カメラ２２２１、２１０１ａ、２１０１ｂのそれぞれの左右に配置される３組の視線指示ランプ２２４０ａ、２２４０ｂ、２２４０ｃを制御する、視線指示ランプ制御部２２３９を含んでいる。
【００９９】
スタジオシステム０１１１で撮影された画像情報等は、通信インタフェース２２０７および通信回線０１１４を経由して、サーバシステム０１０３等、他システムとの間で送受信される。
【０１００】
以上で、各システム構成要素についての説明を終わり、以降は、本発明と直接関係する画像の保管処理について説明する。 
サテライト０１０６のサテライトシステム０１１０において、利用者が画像（写真）の印刷指示を行うと、あるいは、利用者が、編集対象とする画像選択処理の中断の指示、または、画像編集処理の中断の指示、または、印刷指示処理の中断の指示を行うと、図示していないが、画像のリムーバブル記録媒体への記録（保管）を行うか否かを、利用者に選択させる画像保管要否選択画面が表示される。利用者は、この画像保管要否選択画面において、画像の保管を行うかどうかを選択し、画像の保管を選択すると、画像保管処理へと進む。
【０１０１】
図１７は画像保管処理（図３のＳ０３１１の処理）の概要を示したフローチャートである。画像保管が選択されると、保管用画像選択画面が表示される（Ｓ３８０１）。
【０１０２】
図１８に保管用画像選択画面の例を示す。保管用に選択できる画像は、利用者が撮影した全ての画像が対象であり、保管用画像選択画面には、撮影した全ての画像のサムネイル画３９０１が表示される。なお、全ての画像のサムネイル画３９０１を同時に表示しきれない場合には、図示していないが、スクロールボタンを操作することによって、右または左にスクロールされて隠れていたサムネイル画３９０１が表示されるようになっている。
【０１０３】
画像編集を行った画像のサムネイル画の上には、「ＥＤＩＴ」３９０２が表示され、画像印刷の指示を行った画像のサムネイル画の上には、「ＰＲＩＮＴ」３９０３が表示されている。
【０１０４】
利用者が保存したい画像のサムネイル画３９０１をタッチする（Ｓ３８０２でＹＥＳとなる）と、そのサムネイル画に対応する画像の保管の指示と認知し、保管用に選択された画像のデータ累積容量を逐次計算した上で、リムーバブル記録媒体の記憶可能容量を超過していないかどうかをチェックし（Ｓ３８０３）、超過していない場合には、サテライトシステム０１１０からサーバシステム０１０３および／またはカウンタシステム０１０４に対して、利用者の識別コードとともに選択された画像の識別コードを通知し、また、保管用画像選択画面の選択されたサムネイル画３９０１の上に、「ＳＴＯＣＫ」３９０４を表示する。
【０１０５】
一方、保管用に選択された画像のデータ累積容量がリムーバブル記録媒体の記憶可能容量を超過した場合には、その旨を警告するエラーメッセージの表示と選択終了の操作を促す表示とを行い、保管用画像として選択しても、サムネイル画３９０１の上には「ＳＴＯＣＫ」３９０４は表示されず、保管選択は受け付けられない（Ｓ３８０４）。
【０１０６】
利用者が「ＮＥＸＴ」ボタン３９０５をタッチする（Ｓ３８０５でＹＥＳとなる）ことで、保管画像の選択は終了し、リムーバブル記録媒体への画像の記録（保管）が行われる（Ｓ３８０６）。
【０１０７】
図１９に、リムーバブル記録媒体への画像の暗号化保管処理のフローチャートを示す。まず、保管すべき画像のファイル名から暗号鍵Ａを生成する（Ｓ４００１）。ここで言う画像のファイル名とは、例えば、利用者が使用するＩＣカードに書き込んである当日の年月日と、当日に来店した利用者に順次割り当てられる通番であり、これにより、利用者毎に固有の画像のファイル名とすることができ、利用者毎に固有の暗号鍵Ａを生成することができる。次に、この暗号鍵Ａを使用して画像（画像データ）を暗号化する（Ｓ４００２）。次に、自動写真館のシステム内に固定で持つ暗号鍵Ｂを使用して、上記のファイル名を暗号化し（Ｓ４００３）、暗号化した画像データの先頭に、暗号化したファイル名を埋め込んで（Ｓ４００４）、これをリムーバブル記録媒体に保管する暗号化データとする。
【０１０８】
次に、画像内容の簡易確認用に、暗号化した画像に対応する、暗号化していないサムネイル画像（サムネイル画像データ）を作成して（Ｓ４００５）、先の暗号化したデータと一緒に、リムーバブル記録媒体に記録する（Ｓ４００６）。リムーバブル記録媒体に保管すべき画像がまだある場合（Ｓ４００７でＮＯの場合）は、Ｓ４００１に戻り、同様の処理を繰り返す。
【０１０９】
なお、リムーバブル記録媒体への暗号化画像データやサムネイル画像データなどの記録（保管）が正常に行われたことが確認されると、自動写真館のシステム側では、画像の保管を行った利用者に対応する画像は全て消去される。この消去のタイミングは任意であり、個々のリムーバブル記録媒体への記録が完了した時点でもよいし、個々の利用者が退店した時点でもよいし、当日の営業終了時に当日分の画像を一括して消去するようにしてもよい。
【０１１０】
続いて、リムーバブル記録媒体を持ち帰った利用者が、リムーバブル記録媒体を持参して再来店し、リムーバブル記録媒体に保管された画像の選択、編集、印刷の操作を行う場合について説明する。図２０は、リムーバブル記録媒体に保管した画像の選択、編集、印刷を行う場合の、利用者の流れの１例を示すフローチャートである。
【０１１１】
利用者は入店すると（Ｓ４１０１）、まず、カウンタ０１０２で受付を行って、この受付時にリムーバブル記録媒体を従業員に渡し、従業員は受け取ったリムーバブル記録媒体をリムーバブルメディアＲ／Ｗ（リムーバブル記録媒体Ｒ／Ｗ）０６０９に装着して、リムーバブル記録媒体に記録された暗号化された全ての画像を読み出し復号して、自動写真館のシステム（サーバシステム０１０３）に取り込む。また、同時に利用者に渡すＩＣカードの固有コードを、復号して読み出した画像と対応するコードに設定して、利用者が持つＩＣカードと読み込んだ画像とをリンクさせる（Ｓ４１０２）。次に、利用者は、従業員から渡されたリムーバブル記録媒体とＩＣカードを受け取る（Ｓ４１０３）。
【０１１２】
次に、利用者は、空いているサテライト０１０６に移動して、サテライト０１０６において、ＩＣカードＲ／Ｗ１７０６に挿入する。これにより、モニタ１７０３には、カウンタ０１０２においてリムーバブル記録媒体から読み込まれた画像のサムネイル画の一覧が表示され、編集、印刷したい画像を選択することができる（Ｓ４１０４）。その後、選択した画像の編集（Ｓ４１０５）、印刷指示（Ｓ４１０６）を行い、最後に会計をして、ＩＣカードを返却し、出力した写真を受取り（Ｓ４１０７）、退店する（Ｓ４１０８）。
【０１１３】
図２１に、リムーバブル記録媒体から読み出した暗号化画像データの復号処理のフローチャートを示す。まず、リムーバブル記録媒体から読み出した暗号化画像データから暗号化した画像ファイル名を取り出す（Ｓ４２０１）。次に、システム内に持つ暗号鍵Ｂで、暗号化した画像ファイル名を復号して画像ファイル名を得る（Ｓ４２０２）。次に、その画像ファイル名から暗号鍵Ａを生成して（Ｓ４２０３）、暗号鍵Ａで暗号化画像データを復号して画像データを得る（Ｓ４２０４）。まだ、復号すべき暗号化画像データがあれば（Ｓ４２０５でＹＥＳであれば）、Ｓ４２０１に戻り一連の繰り返す。そして、全ての暗号化画像データを復号した後（Ｓ４２０５でＮＯとした後）、サテライト０１０６における画像の選択、編集、印刷を可能とする（Ｓ４２０６）。
【図面の簡単な説明】
【０１１４】
【図１】本発明の一実施形態に係る自動写真館の店内構造を示す配置図である。
【図２】本発明の一実施形態に係る自動写真館のシステム構成図である。
【図３】本発明の一実施形態に係る自動写真館における、利用者による写真館利用の流れを示すフローチャートである。
【図４】本発明の一実施形態に係る自動写真館のカウンタを斜め上方から見た説明図である。
【図５】本発明の一実施形態に係る自動写真館のサーバシステムのブロック図である。
【図６】本発明の一実施形態に係る自動写真館のカウンタシステムのブロック図である。
【図７】本発明の一実施形態に係る自動写真館のプリンタシステムのブロック図である。
【図８】本発明の一実施形態に係る自動写真館のサテライトを斜め上方から見た説明図である。
【図９】本発明の一実施形態に係る自動写真館のサテライトシステムのブロック図である。
【図１０】本発明の一実施形態に係る自動写真館のノーマルスタジオを斜め上方から見た説明図である。
【図１１】本発明の一実施形態に係る自動写真館のノーマルスタジオの撮影空間を真上から見た要部説明図である。
【図１２】本発明の一実施形態に係る自動写真館のアクションスタジオを斜め上方から見た説明図である。
【図１３】本発明の一実施形態に係る自動写真館のベビースタジオを斜視して見た説明図である。
【図１４】本発明の一実施形態に係る自動写真館のスタジオにおいて用いられる、撮影用カメラの近傍を拡大表示した説明図である。
【図１５】本発明の一実施形態に係る自動写真館における、ノーマルスタジオのスタジオシステムの簡略化したブロック構成図である。
【図１６】本発明の一実施形態に係る自動写真館における、ノーマルスタジオのスタジオメインＰＣおよびそれに接続される構成要素の構成を示すブロック図である。
【図１７】本発明の一実施形態に係る自動写真館における、リムーバブル記録媒体への画像保管処理の概要を示したフローチャートである。
【図１８】本発明の一実施形態に係る自動写真館の表示画面の例を示す説明図である。
【図１９】本発明の一実施形態に係る自動写真館における、リムーバブル記録媒体への画像の暗号化保管処理の例を示すフローチャートである。
【図２０】本発明の一実施形態に係る自動写真館における、リムーバブル記録媒体に保管した画像の選択、編集、印刷を行う場合の、利用者の流れの１例を示すフローチャートである。
【図２１】本発明の一実施形態に係る自動写真館における、リムーバブル記録媒体から読み出した暗号化画像データの復号処理の例を示すフローチャートである。
【符号の説明】
【０１１５】
０１０１  自動写真館
０１０２  カウンタ
０１０３  サーバシステム
０１０４  カウンタシステム
０１０５  プリンタシステム
０１０６  サテライト
０１０７  スタジオ
０１１０  サテライトシステム
０１１１  スタジオシステム
０１１４  通信回線
０５００  （サーバシステムの）ＰＣ本体
０５０１  （サーバシステムの）ＣＰＵ
０５０２  （サーバシステムの）メモリ
０５０３  （サーバシステムの）モニタ
０５０４  （サーバシステムの）キーボード
０５０５  （サーバシステムの）画像出力部
０５０６  （サーバシステムの）ＩＣカードＲ／Ｗ
０５０７  （サーバシステムの）通信インタフェース
０５０８  （サーバシステムの）磁気ディスク
０６００  （カウンタシステムの）ＰＣ本体
０６０１  （カウンタシステムの）ＣＰＵ
０６０２  （カウンタシステムの）メモリ
０６０３  （カウンタシステムの）モニタ
０６０５  （カウンタシステムの）画像出力部
０６０６ａ  （カウンタシステムの）ＩＣカードＲ／Ｗ
０６０６ｂ  （カウンタシステムの）ＩＣカードＲ／Ｗ
０６０７  （カウンタシステムの）通信インタフェース
０６０８  （カウンタシステムの）磁気ディスク
０７００  （プリンタシステムの）ＰＣ本体
０７０１  （プリンタシステムの）ＣＰＵ
０７０２  （プリンタシステムの）メモリ
０７０３  （プリンタシステムの）モニタ
０７０５  （プリンタシステムの）画像出力部
０７０６  （プリンタシステムの）ＩＣカードＲ／Ｗ
０７０７  （プリンタシステムの）通信インタフェース
０７０８  （プリンタシステムの）磁気ディスク
０７０９  （プリンタシステムの）プリンタ制御部
０７１０ａ  （プリンタシステムの）プリンタ
０７１０ｂ  （プリンタシステムの）プリンタ
０７１０ｃ  （プリンタシステムの）プリンタ
１６０１  サテライトテーブル
１６０２  サテライトテーブルの上面
１６０３  サテライトテーブルの支柱
１７００  （サテライトシステムの）ＰＣ本体
１７０１  （サテライトシステムの）ＣＰＵ
１７０２  （サテライトシステムの）メモリ
１７０３  （サテライトシステムの）モニタ
１７０４  （サテライトシステムの）タッチペン
１７０５  （サテライトシステムの）画像出力部
１７０６  （サテライトシステムの）ＩＣカードＲ／Ｗ
１７０７  （サテライトシステムの）通信インタフェース
１７０８  （サテライトシステムの）磁気ディスク
１８０１ａ  正面ストロボ
１８０１ｂ  右ストロボ
１８０１ｃ  左ストロボ
１８０２  カメラボックス
１８０３  操作卓
１８０４  ホリゾントカーテン
１８０５ａ  スタジオ後方の外壁
１８０５ｂ  スタジオ側面の内壁
１８０５ｃ  スタジオ前方の内壁
１８０６  出入口
１９０１  ジャンプ台
２００１  撮影用ベッド
２１００ａ  スタジオサブＰＣ１
２１０１ａ  （スタジオサブＰＣ１で制御される）撮影用カメラ
２１００ｂ  スタジオサブＰＣ２
２１０１ｂ  （スタジオサブＰＣ２で制御される）撮影用カメラ
２２００  スタジオメインＰＣ
２２０１  （スタジオメインＰＣの）ＣＰＵ
２２０２  （スタジオメインＰＣの）メモリ
２２０３  （スタジオシステムの）操作用モニタ
２２０５ａ  （スタジオシステムの）確認用モニタ１
２２０５ｂ  （スタジオシステムの）確認用モニタ２
２２０６  （スタジオシステムの）ＩＣカードＲ／Ｗ
２２０７  （スタジオメインＰＣの）通信インタフェース
２２０８  （スタジオメインＰＣの）磁気ディスク
２２２０ａ  （スタジオシステムの）モニタ用カメラ１
２２２０ｂ  （スタジオシステムの）モニタ用カメラ２
２２２０ｃ  （スタジオシステムの）モニタ用カメラ３
２２２１  （スタジオシステムの）撮影用カメラ
２２２２  （スタジオシステムの）照明装置
２２２３  （スタジオシステムの）背景機構
２２２４  （スタジオシステムの）スピーカ
２２２５  （スタジオメインＰＣの）タイマ
２２２６  （スタジオシステムの）センサ
２２２７  （スタジオシステムの）使用中ランプ
２２３１  （スタジオメインＰＣ）モニタ用カメラ制御部
２２３２  （スタジオメインＰＣの）撮影用カメラ制御部
２２３３  （スタジオメインＰＣの）照明制御部
２２３４  （スタジオメインＰＣの）操作用モニタ制御部
２２３５ａ  （スタジオメインＰＣの）確認用モニタ画像出力部１
２２３５ｂ  （スタジオメインＰＣの）確認用モニタ画像出力部２
２２３６  （スタジオメインＰＣの）背景機構制御部
２２３７  （スタジオメインＰＣの）音声出力部
２２３８  （スタジオメインＰＣの）パターンメモリ
２２３９  （スタジオメインＰＣの）視線指示ランプ制御部
２２４０ａ  （スタジオシステムの）視線指示ランプ
２２４０ｂ  （スタジオシステムの）視線指示ランプ２
２２４０ｃ  （スタジオシステムの）視線指示ランプ３
２２４１  ＬＥＤランプ
２２４２  （スタジオメインＰＣの）感圧式センサ入力処理部
２２４３  （スタジオシステムの）感圧式センサ
２２４３ａ  （スタジオシステムの）感圧式センサ
２２４４  （スタジオメインＰＣの）使用中ランプ制御部
【図１】
2008061095.tif 000003
【図２】
2008061095.tif 000004
【図３】
2008061095.tif 000005
【図５】
2008061095.tif 000006
【図６】
2008061095.tif 000007
【図７】
2008061095.tif 000008
【図８】
2008061095.tif 000009
【図９】
2008061095.tif 000010
【図１０】
2008061095.tif 000011
【図１１】
2008061095.tif 000012
【図１２】
2008061095.tif 000013
【図１３】
2008061095.tif 000014
【図１４】
2008061095.tif 000015
【図１５】
2008061095.tif 000016
【図１６】
2008061095.tif 000017
【図１７】
2008061095.tif 000018
【図１９】
2008061095.tif 000019
【図２０】
2008061095.tif 000020
【図２１】
2008061095.tif 000021
【図４】
2008061095.tif 000022
【図１８】
2008061095.tif 000023